(57)【要約】【課題】  経験の浅い検者でも累進レンズの位置合わせを、より容易に行えるレンズメータを提供する。【解決手段】  測定光束を被検レンズに投光し、被検レンズを透過した測定光束を受光素子で受光して被検レンズの光学特性を測定する測定光学系と、累進レンズの加入度を測定する累進レンズ測定モードに切換えるモード切換え手段と、累進レンズの近用部の測定時に、前記測定光学系により得られた累進レンズの複数位置の光学特性に基に、累進レンズの近用部に対する測定位置のずれ方向とその遠近を検出する検出手段と、該検出結果に基づいて測定位置を累進レンズの近用部に導く誘導マークを表示する誘導表示手段であって、累進レンズを移動すべき方向を示すと共に、近用部までの遠近を段階的に示す誘導マークを表示する誘導表示手段と、を備える。【選択図】      図５
2006058248.tif 000002
【特許請求の範囲】
【請求項１】
測定光束を被検レンズに投光し、被検レンズを透過した測定光束を受光素子で受光して被検レンズの光学特性を測定する測定光学系と、累進レンズの加入度を測定する累進レンズ測定モードに切換えるモード切換え手段と、累進レンズの近用部の測定時に、前記測定光学系により得られた累進レンズの複数位置の光学特性に基に、累進レンズの近用部に対する測定位置のずれ方向とその遠近を検出する検出手段と、該検出結果に基づいて測定位置を累進レンズの近用部に導く誘導マークを表示する誘導表示手段であって、累進レンズを移動すべき方向を示すと共に、近用部までの遠近を段階的に示す誘導マークを表示する誘導表示手段と、を備えることを特徴とするレンズメータ。
【請求項２】
請求項１のレンズメータにおいて、前記測定光学系は所定の領域内に複数の測定位置を形成し、被検レンズの複数位置の光学特性分布を同時に測定する測定光学系であり、前記検出手段は前記測定光学系により得られた累進レンズの複数位置の光学特性における加入度又は等価球面値の勾配を基に、近用部に対する測定位置の光学的な遠近を検出する手段であることを特徴とするレンズメータ。
【請求項３】
請求項１又は２のレンズメータにおいて、前記誘導表示手段は累進レンズの累進帯をイメージさせるグラフィックのレンズマークを表示し、該レンズマーク中の近用部に相当する部分に近用部に位置合わせする目標マークと現在の測定位置を示すターゲットとを表示すると共に、前記目標マークとターゲットマークの相対的な表示位置を、前記検出手段の検出結果に基づいて制御することを特徴とするレンズメータ。
【請求項４】
請求項１〜３のレンズメータは、さらに、累進レンズの遠用部の測定時に、前記測定光学系により得られた累進レンズの複数位置の光学特性に基に、累進レンズの遠用部に対する測定位置のずれ方向とその遠近を検出する遠用部検出手段と、該検出結果に基づいて測定位置を累進レンズの遠用部に導く誘導マークを表示する遠用部誘導表示手段であって、累進レンズを移動すべき方向を示すと共に、遠用部までの遠近を段階的に示す誘導マークを表示する遠用部誘導表示手段と、を備えることを特徴とするレンズメータ。
【発明の詳細な説明】
【技術分野】
【０００１】
本発明は、被検レンズの光学特性を測定するレンズメータに関する。
【背景技術】
【０００２】
測定光束を被検レンズに投光し、被検レンズを透過した測定光束を受光素子で受光して被検レンズの光学特性を測定するレンズメータにおいては、ディスプレイ上に表示されたアライメント画面を見ながら被検レンズを移動させ、測定位置を被検レンズの所期する部位へ位置合わせして測定を行っている。
【０００３】
累進屈折力レンズ（以下、累進レンズ）を測定する時のアライメント表示においては、遠用部及び近用部に測定位置を導くためのガイドを表示する。例えば、下記特許文献１及び２のレンズメータにおいては、測定位置を近用部にアライメントするときに、累進レンズをシンボリックしたグラフィックのマーク上を現在の測定位置をイメージさせるターゲットマークが移動するようにしたり、加入度の増加を示すグラフを表示したりしている。
【特許文献１】特開平９−４３１０１号公報
【特許文献２】特開２００３−７５２９６号公報
【発明の開示】
【発明が解決しようとする課題】
【０００４】
しかしながら、経験の浅い検者でも累進レンズの測定をスムーズに行うためには、さらなる改善が望まれる。例えば、累進レンズのグラフィックマーク上をターゲットマークが移動するようにしても、その表示位置は近用部に対する遠近を示しているのではないため、表示上のターゲットマークが近用部を想定した位置に合致してしまう場合がある。この場合は、レンズを継続して移動してもターゲットマークが移動せず、操作方向が正しいのか検者に不安を与えてしまい、微妙な位置合わせ操作が行いにくい問題があった。加入度の増加を示すグラフが表示されたとしても、やはり近用部に対する遠近を示しているのではないため、経験の浅い検者では微妙な位置合わせが行いにくい。レンズの移動方向を矢印でガイドするものもあるが、それは、単に移動方向をガイドしているのみである。
【０００５】
本発明は、上記問題点を鑑み、経験の浅い検者でも累進レンズの位置合わせを、より容易に行えるレンズメータを提供することを技術課題とする。
【課題を解決するための手段】
【０００６】
（１）  測定光束を被検レンズに投光し、被検レンズを透過した測定光束を受光素子で受光して被検レンズの光学特性を測定する測定光学系と、累進レンズの加入度を測定する累進レンズ測定モードに切換えるモード切換え手段と、累進レンズの近用部の測定時に、前記測定光学系により得られた累進レンズの複数位置の光学特性に基に、累進レンズの近用部に対する測定位置のずれ方向とその遠近を検出する検出手段と、該検出結果に基づいて測定位置を累進レンズの近用部に導く誘導マークを表示する誘導表示手段であって、累進レンズを移動すべき方向を示すと共に、近用部までの遠近を段階的に示す誘導マークを表示する誘導表示手段と、を備えることを特徴とする。
（２）  （１）のレンズメータにおいて、前記測定光学系は所定の領域内に複数の測定位置を形成し、被検レンズの複数位置の光学特性分布を同時に測定する測定光学系であり、前記検出手段は前記測定光学系により得られた累進レンズの複数位置の光学特性における加入度又は等価球面値の勾配を基に、近用部に対する測定位置の光学的な遠近を検出する手段であることを特徴とする。
（３）  （１）又は（２）のレンズメータにおいて、前記誘導表示手段は累進レンズの累進帯をイメージさせるグラフィックのレンズマークを表示し、該レンズマーク中の近用部に相当する部分に近用部に位置合わせする目標マークと現在の測定位置を示すターゲットとを表示すると共に、前記目標マークとターゲットマークの相対的な表示位置を、前記検出手段の検出結果に基づいて制御することを特徴とする。
（４）  （１）〜（３）のレンズメータは、さらに、累進レンズの遠用部の測定時に、前記測定光学系により得られた累進レンズの複数位置の光学特性に基に、累進レンズの遠用部に対する測定位置のずれ方向とその遠近を検出する遠用部検出手段と、該検出結果に基づいて測定位置を累進レンズの遠用部に導く誘導マークを表示する遠用部誘導表示手段であって、累進レンズを移動すべき方向を示すと共に、遠用部までの遠近を段階的に示す誘導マークを表示する遠用部誘導表示手段と、を備えることを特徴とするレンズメータ。
【発明の効果】
【０００７】
本発明によれば、経験の浅い検者でも累進レンズの位置合わせを容易に行え、測定をスムーズに行える。
【発明を実施するための最良の形態】
【０００８】
本発明の実施の形態を図面に基いて説明する。図１は実施形態のレンズメータ装置の外観略図である。
【０００９】
１はレンズメータ本体である。２はＬＣＤ等で構成されたディスプレイであり、測定結果やアライメント用のターゲット等の測定に必要な情報が表示される。３は入力用のスイッチ部であり、ディスプレイ２上に表示されるスイッチ表示に対応したものを押すことにより、測定モードの切換え等の必要な入力指示を行うことができる。４は被検レンズＬＥが載置される載置部材としてのノーズピースである。５はレンズ押えであり、これを下に降ろすことでノーズピース４上に載せられたレンズＬＥを安定して保持することができる。
【００１０】
６は前後方向に移動可能なレンズ当てであり、眼鏡フレーム入りレンズＬＥの測定において左右フレームの下端（本明細書では、眼鏡枠やレンズの上下とは眼鏡を装用した状態での上下を意味するものとして使用する）に当接させて安定させることにより、乱視軸角度測定を正確に行うことができる。７は印点機構である。８はレンズＬＥの光学特性データを読み取るためのＲＥＡＤスイッチである。スイッチ８を押すことにより、測定値がディスプレイ２にホールド表示されると共に、装置内部のメモリに記憶される。９は装置に電源を投入する電源スイッチである。
【００１１】
図２は光学系と制御系の概略構成図である。１０は測定光学系であり、Ｌ１はその測定光軸である。測定光学系１０は、ＬＥＤ等の測定光源１１、コリメーティングレンズ１２、ミラー１３、測定指標が形成された測定指標板であるグリッド板１４、２次元受光センサ１５を備える。グリッド板１４は本体１の保持部材１６に保持され、グリッド板１４の上にノーズピース４の開口４ａが位置する。その開口４ａは、直径８ｍｍの円形である。
【００１２】
図３は、グリッド板１４に形成された指標パターンを示す図である。グリッド板１４の外径はノーズピース４の開口４ａの内径よりやや大きく形成されている。グリッド板１４の後面（受光センサ１５側の面）には、多数の円形孔からなる測定指標２０が形成されている。本実施例のおける測定指標２０は、測定光軸Ｌ１が通る中心位置に形成された直径０．４ｍｍの中心孔２１と、その回りに格子状に配置された直径φ０．２ｍｍの多数の小孔２２からなる。小孔２２は０．５ｍｍピッチで格子状に分布されている。測定指標２０は、孔２１及び孔２２を白抜きした黒Ｃｒコートをグリッド板１４の後面に施すことにより形成することができる。中心孔２１は、他の孔２１の対応関係を特定するための基準指標、すなわち、レンズＬＥ無しの状態の「０Ｄ基準」に対して、レンズＬＥが置かれたときに対応する各ドット像を特定するための基準指標として使用される。基準指標しては、他の測定指標と区別できれば、グリッド板１４の中心に限らず、他の場所にあたっても良いし、その個数や形状も限定されない。
【００１３】
測定光源１１からの光束は、コリメーティングレンズ１２により平行光束とされた後、ミラー１３により反射され、ノーズピース４上に載置されるレンズＬＥに投光される。レンズＬＥを透過した光の内、グリッド板１４の孔２１及び孔２２を通過した光束が受光センサ１５に入射する。
【００１４】
受光センサ１５からの出力信号は制御部４０に入力される。制御部４０は、レンズＬＥが置かれていない場合に受光センサ１５に入射した各孔２２のドット像の座標位置を基準にし、屈折力を持つレンズＬＥを置いた場合の各ドット像の位置変化から、レンズＬＥの光学特性（球面度数Ｓ、柱面度数Ｃ、乱視軸角度Ａ、プリズム量Δ）を演算する。例えば、球面度数のみを持つレンズＬＥが置かれた場合は、レンズＬＥが無い場合に対して、各ドット像はレンズＬＥの光学中心から円形状に等距離に拡大、縮小する。この拡大又は縮小量に基づいて球面度数Ｓが求められる。また、柱面度数Ｃのみを持つレンズＬＥが置かれた場合は、レンズＬＥが無い場合に対して、各ドット像はレンズＬＥの軸中心から楕円状に拡大又は縮小する。この拡大又は縮小量に基づいて柱面度数Ｃ、乱視軸角度Ａが求められる。また、プリズム量Δは、レンズＬＥの中心ドット像又はその付近のドット像の平行移動量によって求められる。球面度数、柱面度数及びプリズムを持つレンズはこれらの複合と考えれば良い（特開昭５０−１４５２４９を参照）。
【００１５】
ここで、レンズＬＥの光学特性は、隣接する４つ（少なくとも３つ）のドット像を１組として演算する他、３×３点，４×４点，または５×５点等のドット像を１組とし、各ドット像の平均変化から光学特性を算出しても良い。その場合の測定位置は１組のドット像範囲の中心位置、あるいは特定のドット像位置として決めておく。隣りの場所の測定位置は、１ドット分ずらして演算することにより、測定位置の分解能を落とさずに測定できる。本実施形態では、５×５点のドットを１組とし、１ドット分ずらして多数の測定位置での光学特性を測定する。ノーズピース４の開口４ａ内では、７ｍｍほどの範囲が測定可能である。３×３点以上のドットを１組として演算する場合は、ゴミ等により一部のドット像が検出できなくても、その測定位置の演算が可能である。従って、ノーズピースの開口４ａ内にて複数の測定位置の情報が一度に得られ、ノーズピース開口４ａ内における光学特性分布が得られる。このため、累進レンズにおいては、現在の測定位置が遠用部にあるか否か、同様に現在の測定位置が近用部にあるか否か、あるいは累進帯にあるか否か等のアライメント状態が、効率良く検出できる。
【００１６】
制御部４０はアライメント状態の検出結果を基に、ディスプレイ２のアライメント画面の表示を制御する。また、制御部４０は受光センサ１５の出力に基づき屈折度数分布を所定の時間間隔毎に連続的に得る。なお、以下の説明における現在の測定位置とは、複数の測定位置の内で測定光軸Ｌ１中心を意味するものとして使用する。例えば、現在の測定位置が近用部にあるとは、測定光軸Ｌ１上に被検レンズＬＥの近用部が位置していることを示す。
【００１７】
次に、以上のような構成を備えるレンズメータにおいて、累進レンズのアライメント動作を中心に説明する。以下では、累進レンズの測定モードにて、右眼用レンズを選択した場合について説明する。
累進レンズの測定モードに設定されると、ディスプレイ２のアライメント画面２ａには、累進レンズをイメージさせる累進帯のグラフィックを持つレンズマーク１００と、現在の測定位置を示す十字線ターゲット１０１が表示される（図４（ａ）参照）。累進レンズの近用部は遠用部に対して２ｍｍほど内寄せ側（鼻側）に位置するので、右眼用レンズが指定された場合、レンズマーク１００上の累進帯グラフィックは、やや左側に傾斜したグラフィックとして表示される。ターゲット１０１における測定位置は、十字線の交点位置として示される。本実施形態では、レンズマーク１００は、レンズＬＥの移動によるアライメント状態の変化にともなって移動して表示される。一方、ターゲット１０１は画面２ａの中央に固定して表示される。なお、本装置では、ディスプレイ２の表示画面の上方向が装置の奥側に相当し、画面下方向が装置の手前側に相当する関係にある。
【００１８】
ノーズピース４上にレンズＬＥが載せられると、ノーズピース開口４ａ内で測定される光学特性分布から、測定位置がレンズＬＥのどの辺りにあるか（測定光軸Ｌ１に対する大まかなアライメント状態が）、制御部４０により判定される。すなわち、ノーズピース開口内の７ｍｍほどの領域内で一度に測定される光学特性分布により、レンズＬＥの上下方向にＳＥ値や球面度数Ｓの変化があれば、測定光軸中心の測定位置がレンズ中央位置付近（累進帯中央部）にあると判定される。レンズＬＥの上下左右方向に加入度数や柱面度数Ｃの変化がなく、水平プリズム量が略０であれば、測定位置が遠用部付近にあると判定される。レンズＬＥの左右方向に柱面度数Ｃの勾配があれば、測定位置が累進帯の左右位置付近であると判定される。
【００１９】
図４（ｂ）は、レンズＬＥがノーズピース４に載せられた時に、測定位置がレンズ中央位置と判定された時の表示画面である。なお、レンズＬＥがノーズピース４に載せられたと判定されると、始めに測定位置を遠用部に導くステップとして、アライメントの移動目標となる円形の遠用部マーク１１０が、累進帯グラフィックの表示との相関を取るように、レンズマーク１００中の遠用部位置に相当する部分に表示される。この時、制御部４０はＳＥ値又は球面度数Ｓ、及びプリズム量の分布情報をメモリ４２に記憶しておく。図４（ｂ）の表示状態で、遠用部マーク１１０をターゲット１０１に寄せるべく、検者がレンズＬＥを装置奥側に移動させると、中央に固定表示されたターゲット１０１に対してレンズマーク１００と遠用部マーク１１０とが画面上の上側に移動（表示位置が変化）するように表示される（図４（ｃ）参照）。レンズＬＥの移動があると、プリズム量と光学特性の数値が変化するので、制御部４０はプレンティスの式［偏心量（ｍｍ）＝（プリスム量／度数）×１０］に基づき、始めに記憶した測定位置からの移動距離を算出する。そして、算出された移動距離に基づいて随時レンズマーク１００及び遠用部マーク１１０と一体的に移動させる（表示位置を変化させる）。
【００２０】
検者はレンズＬＥの遠用部を測定光軸にアライメントすべく、さらに遠用部マーク１１０がターゲット１０１の枠内に入るようレンズを移動させていく。制御部４０は、測定光軸中心で得られるＳＥ値又は球面度数Ｓの変化から加入度数のほぼ無くなった領域に入ると、測定位置が遠用部にあると判定し、図４（ｄ）のように、ターゲット１０１の位置に遠用部マーク１１０に代えて大十字マーク１１５を表示する。これにより、検者に遠用部のアライメント完了の旨が報知され、同時に、遠用部の測定値（球面度数、乱視度数、乱視軸角度）がメモリ４２に記憶される。
また、図４（ｅ）は、遠用部のアライメントにおいて、左右方向にアライメントがずれている場合の表示例である。遠用部付近における左右方向のずれは、ノーズピース開口４ａ内の光学特性分布における水平方向のプリズム量の変化に基づいて判定する。この場合、遠用部マーク１１０をターゲット１０１に合わせるべく、レンズＬＥを右側に移動させれば良い。
【００２１】
なお、図４（ｂ）の表示画面では、レンズマーク１００の中央部がターゲット１０１と重なるように表示されているが、制御部４０は被検レンズの上下方向に等価球面値ＳＥや球面度数Ｓの変化から、累進帯を測定していることは判定できるが、遠用部までの距離は判定することはできない。このため、実際の測定位置がレンズ下端側に近い累進帯にあるような場合、レンズＬＥの移動量に基づいてレンズマーク１００を一定の関係で移動させると、レンズマーク１００と遠用部マーク１１０がターゲット１０１を通りすぎてしまうことになる。このようなアライメント表示では、検者がレンズＬＥを移動させるべき方向を戸惑ってしまうので、測定位置が遠用部に近づくにつれて、レンズマーク１００と遠用部マーク１１０の表示移動量を減少させてくような表示制御を行っている。
【００２２】
また、逆に、実際の測定位置が遠用部に近い累進帯にあるような場合、表示画面上では遠用部マーク１１０とターゲット１０１の距離が実際より離れて見えることがあるが、測定位置が遠用部に達したと判定されたときには、レンズマーク１００と遠用部マーク１１０をジャンプさせて、アライメント完了とする表示方法を行っている。被検レンズ移動中も常に表示が反応するので、検者は測定位置が把握しやすく、レンズＬＥの移動を的確に行うことができる。
【００２３】
以上のようにして遠用部の測定値がメモリ４２に記憶されると、近用部の測定ステップに移る。図５（ａ）に示すように、遠用部のアライメント完了を示した大十字マーク１１５は消去され、新たな円形の近用部マーク１２０が、累進帯グラフィックの表示と相関を取るように、レンズマーク１００の近用部に相当する場所に表示される。今度は、加入度を測定すべく、近用部マーク１２０の中心がターゲット１０１に向かうようにレンズＬＥを装置手前側に移動させていく。この時、制御部４０は、メモリ４２に記憶された遠用部におけるプリズム量と光学特性を基づいて、遠用部からの移動距離を算出する。そして、算出された移動距離に基づいて近用部マーク１２０及びレンズマーク１００がターゲット１０１に向かうように移動表示する（表示位置を変化させる）。
【００２４】
ところで、上記の測定光学系はレンズＬＥ上の実際の測定位置を検出しているわけでないため、上記の方法ではターゲット１０１と近用部マーク１２０の表示位置関係は目安でしかない。また、目的の近用部（遠用部の場合も同様）の位置やその周辺の光学特性も、レンズ度数やメーカーによって異なるため、凡その相対位置関係が推測できる程度である。よって、現在の測定位置を近用部に接近させる際に、例えば、プリズム量の光学的変位量１ｍｍ当たり表示１ドットで近用部マーク１２０がターゲット１０１に近づくように表示しても、実際の移動距離が長い場合は、レンズの移動途中で近用部マーク１２０がターゲット１０１に達してしまい、検者に移動方向を示すことができなくなってしまう。
【００２５】
そこで、近用部マーク１２０及びターゲット１０１による位置関係とは別に、図６のように、レンズＬＥの移動方向を示す矢印マークを表示する。この実施形態では、上下左右の４方向の矢印マーク１１１ａ，１１１ｂ，１１１ｃ，１１１ｄを、近用部マーク１２０の周辺に表示する。これで、レンズの移動途中で近用部マーク１２０がターゲット１０１に達してしまう場合でも、検者へ移動指示を出し続けることができる。
【００２６】
本実施形態の測定光学系では、ノーズピース開口内の直径約７ｍｍの領域における光学特性分布を一度に測定しているので、測定位置が近用部に達する前に、レンズの移動に伴うその近づき度合い（近用部に対する測定位置の遠近）の検出も可能である（遠用部の場合も同様）。この検出結果を利用して、矢印マークの長さ等を段階的に変化させることで、目的位置までの遠近を検者に伝える。本実施形態では、各矢印マーク１１１ａ〜１１１ｄの矢印の数を３段階で変化させるパターンとしている。矢印の数で示す段階は、３段階よりも増やしても良い。
【００２７】
矢印マーク１１１ａ〜１１１ｄについて、その矢印の数を決定するための近用部に対する測定位置の近づき度合いの検出を、図７を基に説明する。まず、レンズＬＥを手前側（下方向）に移動すべきことを示す矢印マーク１１１ａ及び奥側（上方向）に移動すべきことを示す矢印マーク１１１ｂの矢印の数は、ノーズピース開口４ａ内で検出される光学特性分布における加入度（あるいはＳＥ値）の勾配を基に判定する。例えば、測定光軸を中心に上下方向の測定位置で検出される球面度数Ｓの最大値と最小値の差から、単位距離当たりの勾配ΔＳを求める（図７（ａ）参照）。このΔＳの大小を、３つの判定基準度数Ｓ３，Ｓ２，Ｓ１（ただし、Ｓ３＞Ｓ２＞Ｓ１）と比較する。各Ｓ３，Ｓ２，Ｓ１の値は、各種の累進レンズの特性から予め設計的に定めたものである。ΔＳ≧Ｓ３の場合、まだ近用部からのずれが大きいとして、矢印の数を３つとする。Ｓ３＞ΔＳ≧Ｓ２の場合、近用部に近づいてきたとして、矢印の数を２つとする。Ｓ２＞ΔＳ≧Ｓ１の場合、さらに近用部に近づいてきたとして、矢印の数を１つとする。Ｓ１＞ΔＳで、ノーズピース開口内の領域における球面度数Ｓがほぼ同じとなれば、あるいは測定光軸中心の測定位置に加入度のピークがあれば、上下方向の測定位置が近用部に到達したと判定する。上方向と下方向の判定は、勾配ΔＳの方向から判定できる。
【００２８】
なお、本実施形態では近用部に対する遠近の実距離を検出できるわけでなく、勾配ΔＳの大小を基に光学的な遠近を検出している。このため、加入度の小さい累進レンズでは測定位置が累進帯に入ったときから勾配ΔＳが小さい場合がある。この場合には、遠用部からの移動距離をプリズム量から算出し、例えば、遠用部から１０ｍｍまでは矢印マーク１１１ｂの矢印の数を３つ又は２つとし、それよりも近用部に近づいてきたら、勾配ΔＳに基づいて矢印の数を決定する。矢印マーク１１１ｂの矢印が減少することにより、近用部に近づいてきたことを、検者に対して心理的（感覚的）に示すことができる。上下方向の測定位置が近用部に達したかどうかは、ノーズピース開口内の領域における球面度数Ｓが所定のレベル以下にあるかで判定するが、加入度数は累進レンズの特性上徐々に変化していくので、測定位置が近用部に達する前にそろそろ近づいてきたことを、少なくとも検出できる。
【００２９】
次に、レンズＬＥを右方向へ移動すべきことを示す矢印マーク１１１ｃ及びレンズＬＥを左方向へ移動すべきことを示す矢印マーク１１１ｄの矢印の数は、測定光軸を中心とした測定位置で検出された乱視度数の最小値と遠用部の測定で記憶した乱視度数との差ΔＣ（光学的歪量）を基に判定する。ΔＣの大小を、３つの判定基準度数Ｃ３，Ｃ２，Ｃ１（ただし、Ｃ３＞Ｃ２＞Ｃ１）と比較する。各Ｃ３，Ｃ２，Ｃ１の値も、各種の累進レンズの特性から予め設計的に定めたものである。ΔＣ≧Ｃ３の場合、測定位置が累進帯から大きくずれているとして、矢印の数を３つとする。Ｃ３＞ΔＣ≧Ｃ２の場合、累進帯からのずれが小さくなったとして、矢印の数を２つとする。Ｃ２＞ΔＣ≧Ｃ１の場合、累進帯からのずれがさらに減少したとして、矢印の数を１つとする。Ｃ１＞ΔＣであれば、測定位置は累進帯中央にあると判定する。ずれが左右の何れにあるかは、左右方向で検出された乱視度数の最小値が測定光軸に対して左右の何れの方向にあるかによって判定できる。そして、上下方向が近用部にあると判定され、測定光軸中心の測定位置における乱視度数（光学歪量）が最小値となったときに、左右方向の測定位置は近用部にあると判定する。あるいは、Ｃ１＞ΔＣであり、且つノーズピース開口内の直径約７ｍｍの領域において、測定光軸を中心に左右方向の測定位置で検出される乱視度数Ｃの最大値と最小値の差から、単位距離当たりの勾配ΔＣ0を求める（図７（ｂ）参照）。この勾配ΔＣ0が所定の許容範囲に入って安定しているときに、測定位置が近用部にあると判定する。勾配ΔＣ0が許容範囲にないときは、その勾配に基づいて矢印マーク１１１ｃ，１１１ｄの方向と矢印の数を１つ表示する。これにより、近用部付近での測定位置の遠近を検者に示すことができる。
【００３０】
再び、図５により、近用部の測定ステップの動作を説明する。レンズＬＥの移動により測定位置が遠用部から外れ累進帯に差し掛かると、図５（ｂ）に示すように、レンズＬＥを手前側に移動すべきことを示す下向の矢印マーク１１１ａが、近用部マーク１２０の上側位置に表示される。この場合、まだ近用部からのずれが大きいので、矢印の数は３つ表示される。この下向き矢印マーク１１１ａの矢印の数は、測定光軸中心の測定位置が近用部に近づいた度合いにより減少する。また、測定位置が累進帯から右方向に外れている場合には、矢印マーク１１１ｃが近用部マーク１２０の左側に表示される。累進帯からのずれが大きい場合には、図５（ｃ）のように、矢印マーク１１１ｃの矢印の数が増加する。検者は、ターゲット１０１に対して近用部マーク１２０が向かうようにレンズＬＥを移動すると共に、矢印マーク１１１ａ〜１１１ｄのガイドに従い、矢印の数が減少するようにレンズＬＥを移動する（図５（ｄ）参照）。
【００３１】
図５（ｅ）は、測定位置と近用部とのずれが少なくなってきた時のアライメント画面の表示例である。矢印マーク１１１ａの数が１つとなっているので、もう少しで近用部に達することが分かる。また、矢印マーク１１１ｃの矢印の数が１つとなっているので、わずかにレンズＬＥを右側に移動すれば良いことが分かる。
【００３２】
測定光軸を中心とした上下方向の測定位置で検出される加入度（あるいはＳＥ値）及び左右方向の光学歪量が所定の許容条件を満たせば、測定位置が近用部に達したと判定される。測定位置が近用部に達したと判定されると、図５（ｆ）のように、近用部マーク１２０が大十字１２５へと変えられ、これがターゲット１０１内に入った位置に表示される。これにより、検者は近用部へのアライメント完了を知ることができ、検者がＲＥＡＤスイッチ８を押すことにより、近用部測定値がメモリ４２に記憶される（アライメント完了と共に、自動的に近用測定値がメモリ４２に記憶されるようにしてもよい）。
【００３３】
なお、本実施形態では、ターゲット１０１に対する近用部マーク１２０の表示位置についても、ある程度両者が近くになってきたら、上記の矢印マークの数を決定したときの検出結果に基づいて表示制御している。これにより、ターゲット１０１と近用部マーク１２０の位置関係を目安にして位置合わせすることが行いやすくなる。これに対して、例えば、光学的変位量１ｍｍ当たり表示１ドットで近用部マーク１２０（又はターゲット１０１）を移動するように決める場合、ターゲット１０１の位置が目標の近用部マーク１２０に達してしまう場合がある。このような場合には操作方向が正しいのか検者に不安を与えてしまったり、操作方向に戸惑うことがあるが、本装置の構成によれば、これが解消される。
【００３４】
また、近用部マーク１２０を表示しない構成であっても、上記のような矢印マーク１１１ａ〜１１１ｄの表示を行えば、検者のレンズ移動によって測定位置が近用部までどの程度近づいているかわかりやすく、微妙なアライメントも容易に行うことができる。すなわち、実際に測定位置が近用部に合致するまでは、いずれかの方向に最低１個の矢印マークが表示されるので、検者は移動すべき方向を迷うことはない。矢印マークの方向とその数の減少の様子から、レンズＬＥを移動すべき方向の正しさと近用部まで近づいてきたか否かを把握することができるので、アライメントを容易に行える。
【００３５】
以上の実施形態では矢印マーク１１１ａ〜１１１ｄの表示を近用部の測定ステップ時に適用したが、もちろん遠用部の測定ステップ時に適用しても良い。すなわち、上下方向の矢印マーク１１１ａ，１１１ｂについては、近用部の場合と同様に、測定光軸を中心に上下方向の測定位置で検出される球面度数Ｓの最大値と最小値の差から勾配ΔＳを求める。このΔＳの大小を判定基準度数Ｓ３，Ｓ２，Ｓ１（Ｓ３＞Ｓ２＞Ｓ１）と比較し、矢印の数を決める。Ｓ３，Ｓ２，Ｓ１の値は、各種の累進レンズの特性から予め設計的に定めるものであり、近用部の場合と異なる場合もある。また、左右方向の矢印マーク１１１ｃ，１１１ｄについては、ノーズピース開口４ａ内の光学特性分布における水平方向のプリズム量Ｐの大小を基に矢印の数を決定すれば良い。
【００３６】
また、測定光学系については、上述した異なる測定位置の光学特性分布を同時に測定可能なものに限らず、測定光軸を中心とした一組の測定光束（同一円周上に位置する少なくとも３つの測定光束）により被検レンズの光学特性をポイント測定する光学系であっても、レンズの移動に伴って複数位置の光学特性を検出し、検出結果を随時比較することにより、加入度数の勾配を検出し、上記のような矢印マーク１１１ａ〜１１１ｄの誘導表示の制御を行うことができる。この場合の装置構成として、図示を略すが、特開平９−４３１０１号公報に記載されるような被検レンズの前後方向及び左右方向の移動量を直接検出する移動位置検出機構を用いる。移動位置検出機構からの出力によってレンズ移動に伴う移動距離が求められるので、レンズの動距離の算出とともにレンズの光学特性の変化を連続的に求めておけば、所定の移動距離における加入度数の勾配を求めることができる。そして、前述と同様な考えにより矢印マークの数を決定することができる。
【図面の簡単な説明】
【００３７】
【図１】実施形態のレンズメータ装置の外観略図である。
【図２】実施形態のレンズメータ装置に係る光学系と制御系の概略構成図である。
【図３】グリッド板に形成された指標パターンを示す図である。
【図４】レンズＬＥの遠用部を測定光軸にアライメントする時の表示画面を示す図である。
【図５】レンズＬＥの近用部を測定光軸にアライメントする時の表示画面を示す図である。
【図６】実施形態に係る矢印マークを説明する図である。
【図７】矢印マークについて、その矢印の数を決定するための近用部に対する測定位置の近づき度合いの検出方法を説明する図である。
【符号の説明】
【００３８】
２  ディスプレイ
１０  測定光学系
１４  グリッド板
１５  受光センサ
４０  制御部
１００  レンズマーク
１０１  十字線ターゲット
１１０  遠用部マーク
１１１ａ〜１１１ｄ  矢印マーク
１２０  近用部マーク
【図１】
2006058248.tif 000003
【図２】
2006058248.tif 000004
【図３】
2006058248.tif 000005
【図４】
2006058248.tif 000006
【図５】
2006058248.tif 000007
【図６】
2006058248.tif 000008
【図７】
2006058248.tif 000009